【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
メッセージ受信装置に対する共通のメッセージである共通メッセージを生成する共通メッセージ生成手段と、各メッセージ受信装置に対して個別に送信する個別メッセージを生成する個別メッセージ生成手段とを備え、放送送信手段を介して、前記共通メッセージおよび前記個別メッセージを放送データとして送信するメッセージ送信装置において、
前記メッセージ受信装置を識別する個別識別子を記憶するための識別子記憶手段と、
前記メッセージ受信装置で生成され、予め放送事業者側に通知された前記メッセージ受信装置を識別するための個別識別子を外部から入力し、当該個別識別子を前記識別子記憶手段に書き込み記憶させる個別識別子登録手段と、を備え、
前記個別メッセージ生成手段は、前記共通メッセージで送信される予め定めたメッセージ情報を処理する対象となるメッセージ受信装置のグループを指定するメッセージ制御情報を付加したメッセージ制御情報通知を、前記個別識別子を宛先とした前記個別メッセージとして生成するメッセージ制御情報通知生成手段を備え、
前記共通メッセージ生成手段は、前記メッセージ制御情報と、前記個別識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子における前記一部の領域を特定するマスク情報とを宛先とし、前記メッセージ情報を内容とした共通メッセージであるメッセージ情報通知を生成するメッセージ情報通知生成手段を備えることを特徴とするメッセージ送信装置。
【請求項２】
複数のメッセージから１つのメッセージを限定して受信するための前記メッセージ受信装置に予め記憶されている識別子である限定受信方式識別と、前記共通メッセージおよび前記個別メッセージを送信するパケットの識別子であるパケット識別子とを外部から複数入力し、前記限定受信方式識別ごとに、当該限定受信方式識別を含んでメッセージ送信を行っている旨を示すサービス記述子と、前記限定受信方式識別と前記パケット識別子とを対応付けた限定受信方式記述子とを複数含んだメッセージ識別テーブルを生成するメッセージ識別テーブル生成手段をさらに備えるとともに、
前記共通メッセージ生成手段および前記個別メッセージ生成手段をそれぞれ複数備え、
前記放送送信手段が、前記メッセージ識別テーブルを放送データとして送信するとともに、複数の前記共通メッセージ生成手段および前記個別メッセージ生成手段ごとに異なる前記パケット識別子を付加して、生成したメッセージをパケットデータとして送信することを特徴とする請求項１に記載のメッセージ送信装置。
【請求項３】
メッセージ送信装置から放送データとして送信されるメッセージ受信装置に対して共通のメッセージである共通メッセージを、放送受信手段を介して受信する共通メッセージ受信手段と、各メッセージ受信装置に対して個別に送信される個別メッセージを、前記放送受信手段を介して受信する個別メッセージ受信手段とを備えたメッセージ受信装置において、
当該メッセージ受信装置を個別に識別するための個別識別子を生成して記憶手段に書き込み記憶させる個別識別子生成手段と、
この個別識別子生成手段で生成された個別識別子を表示する個別識別子表示手段と、を備え、
前記個別メッセージ受信手段は、前記放送受信手段を介して受信した個別メッセージの宛先が、前記記憶手段に記憶されている個別識別子と一致し、内容が、前記メッセージ受信装置のグループを指定するメッセージ制御情報であるメッセージ制御情報通知を、当該メッセージ受信装置宛の前記個別メッセージとして受信した際に、前記メッセージ制御情報を前記記憶手段に書き込み記憶させるメッセージ制御情報通知解析手段を備え、
前記共通メッセージ受信手段は、前記メッセージ送信装置から、前記共通メッセージとして、前記メッセージ制御情報と、前記個別識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子における前記一部の領域を特定するマスク情報とを宛先とし、前記メッセージ情報を内容としたメッセージ情報通知が送信されたときに、当該共通メッセージの宛先である前記メッセージ制御情報が、前記記憶手段に記憶されている前記メッセージ制御情報と一致し、かつ、前記記憶手段に記憶されている前記個別識別子の前記マスク情報によって特定される一部の領域における値が、前記部分識別子と一致する場合に、当該共通メッセージに付加されているメッセージ情報を当該メッセージ受信装置宛のメッセージとして受信するメッセージ情報通知解析手段を備えることを特徴とするメッセージ受信装置。
【請求項４】
複数のメッセージから１つのメッセージを限定して受信するための識別子である限定受信方式識別を予め記憶する限定受信方式識別記憶手段と、
限定受信方式識別を含んでメッセージ送信を行っている旨を示すサービス記述子と、当該限定受信方式識別とパケット識別子とを対応付けた限定受信方式記述子とを複数含んだメッセージ識別テーブルを、前記放送受信手段を介して受信するメッセージ識別テーブル受信手段と、を備え、
前記メッセージ識別テーブル受信手段は、
前記限定受信方式識別記憶手段に記憶されている限定受信方式識別と同じ識別子を、前記複数のサービス記述子において探索し、同一の限定受信方式識別が存在する場合に、メッセージ送信が行われていると判定するサービス記述子解析手段と、
このサービス記述子解析手段でメッセージ送信が行われていると判定した際に、当該限定受信方式識別と同じ識別子を、前記複数の限定受信方式記述子において探索し、同一の限定受信方式識別に対応付けられている前記パケット識別子を抽出する限定受信方式記述子解析手段と、を備え、
前記放送受信手段が、前記放送データから、前記限定受信方式記述子解析手段が抽出したパケット識別子を有するパケットデータを、当該メッセージ受信装置へのメッセージとして抽出することを特徴とする請求項３に記載のメッセージ受信装置。
【請求項５】
メッセージ受信装置に対する共通のメッセージである共通メッセージを生成する共通メッセージ生成手段と、各メッセージ受信装置に対して個別に送信する個別メッセージを生成する個別メッセージ生成手段とを備え、放送送信手段を介して、前記共通メッセージおよび前記個別メッセージを放送データとして送信するメッセージ送信装置において、
前記メッセージ受信装置を識別する識別子を記憶するための識別子記憶手段と、
予め放送事業者側に通知された前記メッセージ受信装置を識別するための個別識別子を外部から入力し、当該個別識別子を前記識別子記憶手段に書き込み記憶させる個別識別子登録手段と、
前記メッセージ受信装置を放送事業者側で個別に識別する新たな識別子である指定識別子を、前記識別子記憶手段に書き込み記憶させる指定識別子登録手段と、を備え、
前記個別メッセージ生成手段は、前記個別識別子をメッセージの宛先とし、以降の個別メッセージの宛先となる指定識別子をメッセージの内容とする指定識別子通知を前記個別メッセージとして生成して送信する指定識別子通知生成手段と、
前記指定識別子通知を前記個別メッセージとして前記メッセージ受信装置に送信した後、前記指定識別子を宛先として、前記共通メッセージとして送信される予め定めたメッセージ情報を処理する対象となるメッセージ受信装置のグループを指定するメッセージ制御情報を付加したメッセージ制御情報通知を、前記個別メッセージとして生成するメッセージ制御情報通知生成手段とを備え、
前記共通メッセージ生成手段は、前記メッセージ制御情報と、前記個別識別子または前記指定識別子の一部を示す識別子であって、前記メッセージ情報を処理する対象となるメッセージ受信装置をサブグループ化する部分識別子と、前記個別識別子または前記指定識別子における前記一部の領域を特定するマスク情報とを宛先とし、前記メッセージ情報を内容とした共通メッセージであるメッセージ情報通知を生成するメッセージ情報通知生成手段を備えることを特徴とするメッセージ送信装置。
【請求項６】
複数のメッセージから１つのメッセージを限定して受信するための前記メッセージ受信装置に予め記憶されている識別子である限定受信方式識別と、前記共通メッセージおよび前記個別メッセージを送信するパケットの識別子であるパケット識別子とを外部から複数入力し、前記限定受信方式識別ごとに、当該限定受信方式識別を含んでメッセージ送信を行っている旨を示すサービス記述子と、前記限定受信方式識別と前記パケット識別子とを対応付けた限定受信方式記述子とを複数含んだメッセージ識別テーブルを生成するメッセージ識別テーブル生成手段をさらに備えるとともに、
前記共通メッセージ生成手段および前記個別メッセージ生成手段をそれぞれ複数備え、
前記放送送信手段が、前記メッセージ識別テーブルを放送データとして送信するとともに、複数の前記共通メッセージ生成手段および前記個別メッセージ生成手段ごとに異なる前記パケット識別子を付加して、生成したメッセージをパケットデータとして送信することを特徴とする請求項５に記載のメッセージ送信装置。
【請求項７】
メッセージ送信装置から放送データとして送信されるメッセージ受信装置に対して共通のメッセージである共通メッセージを、放送受信手段を介して受信する共通メッセージ受信手段と、各メッセージ受信装置に対して個別に送信される個別メッセージを、前記放送受信手段を介して受信する個別メッセージ受信手段とを備えたメッセージ受信装置において、
当該メッセージ受信装置を識別するための個別識別子を予め記憶する記憶手段と、
この記憶手段に記憶されている個別識別子を表示する個別識別子表示手段と、を備え、
前記個別メッセージ受信手段は、前記個別メッセージとして、前記個別識別子をメッセージの宛先とし、放送事業者側において生成した指定識別子をメッセージの内容とする指定識別子通知を受信した際に、前記指定識別子を前記記憶手段に書き込み記憶させる指定識別子解析手段と、
前記放送受信手段を介して受信した個別メッセージの宛先が、記憶手段に記憶されている指定識別子と一致し、内容が、前記メッセージ受信装置のグループを指定するメッセージ制御情報であるメッセージ制御情報通知を当該メッセージ受信装置宛の個別メッセージとして受信した際に、前記メッセージ制御情報を前記記憶手段に書き込み記憶させるメッセージ制御情報通知解析手段と、を備え、
前記共通メッセージ受信手段は、前記メッセージ送信装置から、前記共通メッセージとして、前記メッセージ制御情報と、前記個別識別子または前記指定識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子または前記指定識別子における前記一部の領域を特定するマスク情報とを宛先とし、前記メッセージ情報を内容としたメッセージ情報通知が送信されたときに、前記指定識別子が前記記憶手段に記憶されている場合、当該共通メッセージの宛先である前記メッセージ制御情報が、前記記憶手段に記憶されている前記メッセージ制御情報と一致し、かつ、前記記憶手段に記憶されている前記指定識別子の前記マスク情報によって特定される一部の領域における値が、前記部分識別子と一致する場合にのみ、当該共通メッセージに付加されているメッセージ情報を当該メッセージ受信装置宛のメッセージとして受信し、前記指定識別子が前記記憶手段に記憶されていない場合、当該共通メッセージの宛先が、前記メッセージ制御情報と一致し、かつ、前記個別識別子の前記マスク情報に基づいて特定される一部の領域における値が、前記部分識別子と一致する場合にのみ、当該共通メッセージに付加されているメッセージ情報を当該メッセージ受信装置宛のメッセージとして受信するメッセージ情報通知解析手段を備えることを特徴とするメッセージ受信装置。
【請求項８】
複数のメッセージから１つのメッセージを限定して受信するための識別子である限定受信方式識別を予め記憶する限定受信方式識別記憶手段と、
限定受信方式識別を含んでメッセージ送信を行っている旨を示すサービス記述子と、当該限定受信方式識別とパケット識別子とを対応付けた限定受信方式記述子とを複数含んだメッセージ識別テーブルを、前記放送受信手段を介して受信するメッセージ識別テーブル受信手段と、を備え、
前記メッセージ識別テーブル受信手段は、
前記限定受信方式識別記憶手段に記憶されている限定受信方式識別と同じ識別子を、前記複数のサービス記述子において探索し、同一の限定受信方式識別が存在する場合に、メッセージ送信が行われていると判定するサービス記述子解析手段と、
このサービス記述子解析手段でメッセージ送信が行われていると判定した際に、当該限定受信方式識別と同じ識別子を、前記複数の限定受信方式記述子において探索し、同一の限定受信方式識別に対応付けられている前記パケット識別子を抽出する限定受信方式記述子解析手段と、を備え、
前記放送受信手段が、前記放送データから、前記限定受信方式記述子解析手段が抽出したパケット識別子を有するパケットデータを、当該メッセージ受信装置へのメッセージとして抽出することを特徴とする請求項７に記載のメッセージ受信装置。
【手続補正２】
【補正対象書類名】明細書
【補正対象項目名】発明の名称
【補正方法】変更
【補正の内容】
【発明の名称】メッセージ送信装置およびメッセージ受信装置
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】変更
【補正の内容】
【００３３】
本発明は、前記目的を達成するため、まず、請求項１に記載のメッセージ送信装置は、メッセージ受信装置に対する共通のメッセージである共通メッセージを生成する共通メッセージ生成手段と、各メッセージ受信装置に対して個別に送信する個別メッセージを生成する個別メッセージ生成手段とを備え、放送送信手段を介して、前記共通メッセージおよび前記個別メッセージを放送データとして送信するメッセージ送信装置において、識別子記憶手段と、個別識別子登録手段と、を備え、前記個別メッセージ生成手段がメッセージ制御情報通知生成手段を備え、前記共通メッセージ生成手段がメッセージ情報通知生成手段を備える構成とした。
【手続補正２７】
【補正対象書類名】明細書
【補正対象項目名】００３４
【補正方法】変更
【補正の内容】
【００３４】
かかる構成によれば、メッセージ送信装置は、個別識別子登録手段によって、メッセージ受信装置で生成され、予め放送事業者側に通知されたメッセージ受信装置を識別するための個別識別子を外部から入力し、当該個別識別子を識別子記憶手段に書き込み記憶する。これによって、放送事業者側のメッセージ送信装置には、個々のメッセージ受信装置を特定するための個別情報（個別識別子）が登録されることになる。
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】変更
【補正の内容】
【００３８】
また、請求項２に記載のメッセージ送信装置は、請求項１に記載のメッセージ送信装置において、メッセージ識別テーブル生成手段をさらに備えるとともに、前記共通メッセージ生成手段および前記個別メッセージ生成手段をそれぞれ複数備える構成とした。
【手続補正３０】
【補正対象書類名】明細書
【補正対象項目名】００４１
【補正方法】変更
【補正の内容】
【００４１】
また、請求項３に記載のメッセージ受信装置は、メッセージ送信装置から放送データとして送信されるメッセージ受信装置に対して共通のメッセージである共通メッセージを、放送受信手段を介して受信する共通メッセージ受信手段と、各メッセージ受信装置に対して個別に送信される個別メッセージを、前記放送受信手段を介して受信する個別メッセージ受信手段とを備えたメッセージ受信装置において、個別識別子生成手段と、個別識別子表示手段とを備え、前記個別メッセージ受信手段が、メッセージ制御情報通知解析手段を備え、前記共通メッセージ受信手段が、メッセージ情報通知解析手段を備える構成とした。
【手続補正３１】
【補正対象書類名】明細書
【補正対象項目名】００４２
【補正方法】変更
【補正の内容】
【００４２】
かかる構成によれば、メッセージ受信装置は、個別識別子生成手段によって、当該メッセージ受信装置を個別に識別するための個別識別子を生成して記憶手段に書き込み記憶させる。そして、メッセージ受信装置は、個別識別子表示手段によって、個別識別子生成手段で生成された個別識別子を画面上に表示する。これによって、メッセージ受信装置の使用者（視聴者）は、当該個別識別子を放送事業者に、例えば、電話等によって通知することができる。
【手続補正３２】
【補正対象書類名】明細書
【補正対象項目名】００４５
【補正方法】変更
【補正の内容】
【００４５】
また、請求項４に記載のメッセージ受信装置は、請求項３に記載のメッセージ受信装置において、限定受信方式識別記憶手段と、メッセージ識別テーブル受信手段と、を備え、このメッセージ識別テーブル受信手段が、サービス記述子解析手段と、限定受信方式記述子解析手段と、を備える構成とした。
【手続補正３３】
【補正対象書類名】明細書
【補正対象項目名】００４７
【補正方法】変更
【補正の内容】
【００４７】
また、メッセージ配信システムは、共通メッセージを生成する共通メッセージ生成手段と、個別メッセージを生成する個別メッセージ生成手段とを備え、放送送信手段を介して、前記共通メッセージおよび前記個別メッセージを放送データとして送信するメッセージ送信装置と、放送受信手段を介して、前記共通メッセージを受信する共通メッセージ受信手段と、前記放送受信手段を介して、前記個別メッセージを受信する個別メッセージ受信手段とを備えたメッセージ受信装置と、を備え、メッセージの配信を行うメッセージ配信システムであって、前記メッセージ送信装置は、前記個別メッセージ生成手段に、前記共通メッセージで送信される予め定めたメッセージ情報を処理する対象となるメッセージ受信装置のグループを指定するメッセージ制御情報を付加したメッセージ制御情報通知を、前記個別識別子を宛先とした前記個別メッセージとして生成するメッセージ制御情報通知生成手段を備え、前記共通メッセージ生成手段に、前記メッセージ制御情報と、前記個別識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子における前記一部の領域を特定するマスク情報とを宛先とし、前記メッセージ情報を内容とした共通メッセージであるメッセージ情報通知を、前記部分識別子を所定時間ごとに更新しながら順次生成し、前記メッセージ受信装置に順次送信するメッセージ情報通知生成手段を備え、前記メッセージ受信装置は、当該メッセージ受信装置の内部情報に基づいて、当該メッセージ受信装置を個別に識別するための前記個別識別子を生成して記憶手段に書き込み記憶させる個別識別子生成手段と、この個別識別子生成手段で生成された個別識別子を、放送事業者側に通知するための情報として表示する個別識別子表示手段と、を備え、前記個別メッセージ受信手段に、前記放送受信手段を介して受信した個別メッセージの宛先が、前記記憶手段に記憶されている個別識別子と一致し、内容が、前記メッセージ受信装置のグループを指定するメッセージ制御情報であるメッセージ制御情報通知を、当該メッセージ受信装置宛の前記個別メッセージとして受信した際に、前記メッセージ制御情報を前記記憶手段に書き込み記憶させるメッセージ制御情報通知解析手段を備え、前記共通メッセージ受信手段に、前記メッセージ送信装置から、前記共通メッセージとして、前記メッセージ制御情報と、前記個別識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子における前記一部の領域を特定するマスク情報とを宛先とし、前記メッセージ情報を内容としたメッセージ情報通知が送信されたときに、当該共通メッセージの宛先である前記メッセージ制御情報が、前記記憶手段に記憶されている前記メッセージ制御情報と一致し、かつ、前記記憶手段に記憶されている前記個別識別子の前記マスク情報によって特定される一部の領域における値が、前記部分識別子と一致する場合に、当該共通メッセージに付加されているメッセージ情報を当該メッセージ受信装置宛のメッセージとして受信するメッセージ情報通知解析手段を備えることとしてもよい。
【手続補正３４】
【補正対象書類名】明細書
【補正対象項目名】００５２
【補正方法】変更
【補正の内容】
【００５２】
そして、メッセージ受信装置は、共通メッセージ受信手段のメッセージ情報通知解析手段によって、メッセージ送信装置から、共通メッセージとして、メッセージ制御情報と、個別識別子の一部を示す識別子であって、メッセージ制御情報によってグループ化されたメッセージ受信装置のうち、メッセージ情報を処理する対象となるメッセージ受信装置をサブグループ化する部分識別子と、個別識別子における一部（部分識別子）の領域を特定するマスク情報とを宛先とし、メッセージ情報を内容としたメッセージ情報通知が送信されたときに、当該共通メッセージの宛先であるメッセージ制御情報が、記憶手段に記憶されているメッセージ制御情報と一致し、かつ、記憶手段に記憶されている個別識別子のマスク情報によって特定される一部の領域における値が、部分識別子と一致する場合に、当該共通メッセージに付加されているメッセージ情報を当該メッセージ受信装置宛のメッセージとして受信する。これによって、メッセージ受信装置は、共通メッセージで、同一グループ宛のメッセージを受信することが可能になる。
すなわち、かかる構成によれば、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
【手続補正３５】
【補正対象書類名】明細書
【補正対象項目名】００５３
【補正方法】変更
【補正の内容】
【００５３】
また、メッセージ配信システムは、メッセージ送信装置が、複数のメッセージから１つのメッセージを限定して受信するための前記メッセージ受信装置に予め記憶されている識別子である限定受信方式識別と、前記共通メッセージおよび前記個別メッセージを送信するパケットの識別子であるパケット識別子とを外部から複数入力し、前記限定受信方式識別ごとに、当該限定受信方式識別を含んでメッセージ送信を行っている旨を示すサービス記述子と、前記限定受信方式識別と前記パケット識別子とを対応付けた限定受信方式記述子とを複数含んだメッセージ識別テーブルを生成するメッセージ識別テーブル生成手段をさらに備えるとともに、前記共通メッセージ生成手段および前記個別メッセージ生成手段をそれぞれ複数備え、前記放送送信手段が、前記メッセージ識別テーブルを放送データとして送信するとともに、複数の前記共通メッセージ生成手段および前記個別メッセージ生成手段ごとに異なる前記パケット識別子を付加して、生成したメッセージをパケットデータとして送信し、メッセージ受信装置が、複数のメッセージから１つのメッセージを限定して受信するための識別子である限定受信方式識別を予め記憶する限定受信方式識別記憶手段と、限定受信方式識別を含んでメッセージ送信を行っている旨を示すサービス記述子と、当該限定受信方式識別とパケット識別子とを対応付けた限定受信方式記述子とを複数含んだメッセージ識別テーブルを、前記放送受信手段を介して受信するメッセージ識別テーブル受信手段と、を備え、このメッセージ識別テーブル受信手段が、前記限定受信方式識別記憶手段に記憶されている限定受信方式識別と同じ識別子を、前記複数のサービス記述子において探索し、同一の限定受信方式識別が存在する場合に、メッセージ送信が行われていると判定するサービス記述子解析手段と、このサービス記述子解析手段でメッセージ送信が行われていると判定した際に、当該限定受信方式識別と同じ識別子を、前記複数の限定受信方式記述子において探索し、同一の限定受信方式識別に対応付けられている前記パケット識別子を抽出する限定受信方式記述子解析手段と、を備え、前記放送受信手段が、前記放送データから、前記限定受信方式記述子解析手段が抽出したパケット識別子を有するパケットデータを、当該メッセージ受信装置へのメッセージとして抽出することとしてもよい。
【手続補正３６】
【補正対象書類名】明細書
【補正対象項目名】００５５
【補正方法】変更
【補正の内容】
【００５５】
一方、メッセージ受信装置は、メッセージ識別テーブル受信手段のサービス記述子解析手段によって、限定受信方式識別記憶手段に記憶されている限定受信方式識別と同じ識別子を、複数のサービス記述子において探索し、同一の限定受信方式識別が存在する場合に、メッセージ送信が行われていると判定する。
そして、メッセージ受信装置は、メッセージ識別テーブル受信手段の限定受信方式記述子解析手段によって、メッセージ送信が行われていると判定した際に、当該限定受信方式識別と同じ識別子を、複数の限定受信方式記述子において探索し、同一の限定受信方式識別に対応付けられているパケット識別子を抽出する。
そして、メッセージ受信装置は、放送受信手段によって、放送データから、限定受信方式記述子解析手段が抽出したパケット識別子を有するパケットデータを、当該メッセージ受信装置へのメッセージとして抽出する。
すなわち、かかる構成によれば、メッセージ受信装置から通知される個別識別子に対して、メッセージ送信装置が、個別メッセージを送信することができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置を管理すればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
加えて、メッセージ受信装置においてメッセージの表示方式が異なる場合であっても、複数種類のメッセージから、自身の表示方式に適合したメッセージを取得することができ、複数メッセージの同時配信が可能になる。
【手続補正３７】
【補正対象書類名】明細書
【補正対象項目名】００５６
【補正方法】削除
【補正の内容】
【手続補正３８】
【補正対象書類名】明細書
【補正対象項目名】００５７
【補正方法】削除
【補正の内容】
【手続補正３９】
【補正対象書類名】明細書
【補正対象項目名】００５８
【補正方法】削除
【補正の内容】
【手続補正４０】
【補正対象書類名】明細書
【補正対象項目名】００５９
【補正方法】削除
【補正の内容】
【手続補正４１】
【補正対象書類名】明細書
【補正対象項目名】００６０
【補正方法】削除
【補正の内容】
【手続補正４２】
【補正対象書類名】明細書
【補正対象項目名】００６１
【補正方法】削除
【補正の内容】
【手続補正４３】
【補正対象書類名】明細書
【補正対象項目名】００６２
【補正方法】削除
【補正の内容】
【手続補正４４】
【補正対象書類名】明細書
【補正対象項目名】００６３
【補正方法】削除
【補正の内容】
【手続補正４５】
【補正対象書類名】明細書
【補正対象項目名】００６４
【補正方法】削除
【補正の内容】
【手続補正４６】
【補正対象書類名】明細書
【補正対象項目名】００６５
【補正方法】削除
【補正の内容】
【手続補正４７】
【補正対象書類名】明細書
【補正対象項目名】００６６
【補正方法】削除
【補正の内容】
【手続補正４８】
【補正対象書類名】明細書
【補正対象項目名】００６７
【補正方法】削除
【補正の内容】
【手続補正４９】
【補正対象書類名】明細書
【補正対象項目名】００６８
【補正方法】削除
【補正の内容】
【手続補正５０】
【補正対象書類名】明細書
【補正対象項目名】００６９
【補正方法】削除
【補正の内容】
【手続補正５１】
【補正対象書類名】明細書
【補正対象項目名】００７０
【補正方法】削除
【補正の内容】
【手続補正５２】
【補正対象書類名】明細書
【補正対象項目名】００７１
【補正方法】削除
【補正の内容】
【手続補正５３】
【補正対象書類名】明細書
【補正対象項目名】００７２
【補正方法】削除
【補正の内容】
【手続補正５４】
【補正対象書類名】明細書
【補正対象項目名】００７３
【補正方法】削除
【補正の内容】
【手続補正５５】
【補正対象書類名】明細書
【補正対象項目名】００７４
【補正方法】削除
【補正の内容】
【手続補正５６】
【補正対象書類名】明細書
【補正対象項目名】００７５
【補正方法】削除
【補正の内容】
【手続補正５７】
【補正対象書類名】明細書
【補正対象項目名】００７６
【補正方法】削除
【補正の内容】
【手続補正５８】
【補正対象書類名】明細書
【補正対象項目名】００７７
【補正方法】削除
【補正の内容】
【手続補正５９】
【補正対象書類名】明細書
【補正対象項目名】００７８
【補正方法】削除
【補正の内容】
【手続補正６０】
【補正対象書類名】明細書
【補正対象項目名】００７９
【補正方法】削除
【補正の内容】
【手続補正６１】
【補正対象書類名】明細書
【補正対象項目名】００８０
【補正方法】削除
【補正の内容】
【手続補正６２】
【補正対象書類名】明細書
【補正対象項目名】００８１
【補正方法】変更
【補正の内容】
【００８１】
また、請求項５に記載のメッセージ送信装置は、メッセージ受信装置に対する共通のメッセージである共通メッセージを生成する共通メッセージ生成手段と、各メッセージ受信装置に対して個別に送信する個別メッセージを生成する個別メッセージ生成手段とを備え、放送送信手段を介して、前記共通メッセージおよび前記個別メッセージを放送データとして送信するメッセージ送信装置において、識別子記憶手段と、個別識別子登録手段と、指定識別子登録手段とを備え、個別メッセージ生成手段が指定識別子通知生成手段と、メッセージ制御情報通知生成手段と、を備え、共通メッセージ生成手段がメッセージ情報通知生成手段を備える構成とした。
【手続補正６３】
【補正対象書類名】明細書
【補正対象項目名】００８２
【補正方法】変更
【補正の内容】
【００８２】
かかる構成によれば、メッセージ送信装置は、個別識別子登録手段によって、予め放送事業者側に通知されたメッセージ受信装置を識別するための個別識別子を外部から入力し、当該個別識別子を識別子記憶手段に書き込み記憶する。これによって、放送事業者側のメッセージ送信装置には、個々のメッセージ受信装置を特定するための個別情報（個別識別子）が登録されることになる。
【手続補正６４】
【補正対象書類名】明細書
【補正対象項目名】００８３
【補正方法】変更
【補正の内容】
【００８３】
また、メッセージ送信装置は、指定識別子登録手段によって、メッセージ受信装置を放送事業者側で個別に識別する新たな識別子である指定識別子を、識別子記憶手段に書き込み記憶する。これによって、メッセージ送信装置は、個々のメッセージ受信装置を、放送事業者が付与する識別子で管理することが可能になる。
【手続補正６５】
【補正対象書類名】明細書
【補正対象項目名】００８４
【補正方法】変更
【補正の内容】
【００８４】
さらに、メッセージ送信装置は、個別メッセージ生成手段の指定識別子通知生成手段によって、個別識別子をメッセージの宛先とし、以降の個別メッセージの宛先となる指定識別子をメッセージの内容とする指定識別子通知を個別メッセージとして生成して送信する。これによって、個別識別子に該当するメッセージ受信装置には、指定識別子通知で通知される指定識別子が記憶されることになり、メッセージ送信装置から、指定識別子で個々のメッセージ受信装置を特定することができる。
【手続補正６６】
【補正対象書類名】明細書
【補正対象項目名】００８５
【補正方法】変更
【補正の内容】
【００８５】
そして、メッセージ送信装置は、個別メッセージ生成手段のメッセージ制御情報通知生成手段によって、指定識別子通知を個別メッセージとしてメッセージ受信装置に送信した後、指定識別子を宛先として、共通メッセージとして送信される予め定めたメッセージ情報を処理する対象となるメッセージ受信装置のグループを指定するメッセージ制御情報を付加したメッセージ制御情報通知を、個別メッセージとして生成する。これによって、放送事業者側で管理している指定識別子を用いて、個別にメッセージ受信装置にメッセージを配信することができる。また、個別メッセージでメッセージ制御情報を受信したメッセージ受信装置は、当該メッセージ制御情報の値によって、グループ化されることになる。例えば、視聴契約の有無等によって、個々のメッセージ受信装置がグループ化される。
【手続補正６７】
【補正対象書類名】明細書
【補正対象項目名】００８７
【補正方法】削除
【補正の内容】
【手続補正６８】
【補正対象書類名】明細書
【補正対象項目名】００８８
【補正方法】変更
【補正の内容】
【００８８】
また、請求項６に記載のメッセージ送信装置は、請求項５に記載のメッセージ送信装置において、メッセージ識別テーブル生成手段をさらに備えるとともに、前記共通メッセージ生成手段および前記個別メッセージ生成手段をそれぞれ複数備える構成とした。
【手続補正６９】
【補正対象書類名】明細書
【補正対象項目名】００９１
【補正方法】変更
【補正の内容】
【００９１】
また、請求項７に記載のメッセージ受信装置は、メッセージ送信装置から放送データとして送信されるメッセージ受信装置に対して共通のメッセージである共通メッセージを、放送受信手段を介して受信する共通メッセージ受信手段と、各メッセージ受信装置に対して個別に送信される個別メッセージを、前記放送受信手段を介して受信する個別メッセージ受信手段とを備えたメッセージ受信装置において、記憶手段と、個別識別子表示手段とを備え、前記個別メッセージ受信手段が、指定識別子解析手段と、メッセージ制御情報通知解析手段とを備え、前記共通メッセージ受信手段が、メッセージ情報通知解析手段を備える構成とした。
【手続補正７０】
【補正対象書類名】明細書
【補正対象項目名】００９２
【補正方法】変更
【補正の内容】
【００９２】
かかる構成によれば、メッセージ受信装置は、記憶手段にメッセージ受信装置を識別するための個別識別子を予め記憶しておく。例えば、この記憶手段には、メッセージ受信装置のメーカ等によって、固有の識別子を個別識別子として予め書き込んでおく。そして、メッセージ受信装置は、個別識別子表示手段によって、記憶手段に記憶されている個別識別子を、画面上に表示する。これによって、メッセージ受信装置の使用者（視聴者）は、当該個別識別子を放送事業者に、例えば、電話等によって通知することができる。
【手続補正７１】
【補正対象書類名】明細書
【補正対象項目名】００９３
【補正方法】変更
【補正の内容】
【００９３】
そして、メッセージ受信装置は、個別メッセージ受信手段の指定識別子解析手段によって、個別識別子をメッセージの宛先とし、放送事業者側において生成した指定識別子をメッセージの内容とする個別メッセージである指定識別子通知を受信した際に、指定識別子を記憶手段に書き込み記憶する。これによって、メッセージ受信装置は、メッセージ送信装置から指定識別子通知により通知される指定識別子を記憶手段に記憶し、放送事業者側で管理されている指定識別子により管理可能な状態となる。
【手続補正７２】
【補正対象書類名】明細書
【補正対象項目名】００９６
【補正方法】変更
【補正の内容】
【００９６】
また、請求項８に記載のメッセージ受信装置は、請求項７に記載のメッセージ受信装置において、限定受信方式識別記憶手段と、メッセージ識別テーブル受信手段と、を備え、このメッセージ識別テーブル受信手段が、サービス記述子解析手段と、限定受信方式記述子解析手段と、を備える構成とした。
【手続補正７３】
【補正対象書類名】明細書
【補正対象項目名】００９８
【補正方法】変更
【補正の内容】
【００９８】
また、メッセージ配信システムは、共通メッセージを生成する共通メッセージ生成手段と、個別メッセージを生成する個別メッセージ生成手段とを備え、放送送信手段を介して、前記共通メッセージおよび前記個別メッセージを放送データとして送信するメッセージ送信装置と、放送受信手段を介して、前記共通メッセージを受信する共通メッセージ受信手段と、前記放送受信手段を介して、前記個別メッセージを受信する個別メッセージ受信手段とを備えたメッセージ受信装置と、を備え、メッセージの配信を行うメッセージ配信システムであって、前記メッセージ送信装置は、個別メッセージ生成手段に、前記個別メッセージ生成手段に、予め放送事業者側に通知された前記メッセージ受信装置を識別するための個別識別子をメッセージの宛先とし、当該個別識別子に対応し、前記メッセージ受信装置を放送事業者側で識別する新たな識別子である指定識別子をメッセージの内容とする指定識別子通知を、前記個別メッセージとして生成して送信する指定識別子通知生成手段と、前記指定識別子通知を前記個別メッセージとして前記メッセージ受信装置に送信した後、外部から指定された個人情報に対応する前記指定識別子を宛先として、前記共通メッセージとして送信される予め定めたメッセージ情報を処理する対象となるメッセージ受信装置のグループを指定するメッセージ制御情報を付加したメッセージ制御情報通知を、前記個別メッセージとして生成するメッセージ制御情報通知生成手段とを備え、前記共通メッセージ生成手段に、前記メッセージ制御情報と、前記個別識別子または前記指定識別子の一部を示す識別子であって、前記メッセージ情報を処理する対象となるメッセージ受信装置をサブグループ化する部分識別子と、前記個別識別子または前記指定識別子における前記一部の領域を特定するマスク情報とを宛先とし、前記メッセージ情報を内容とした共通メッセージであるメッセージ情報通知を、前記部分識別子を所定時間ごとに更新しながら順次生成し、前記メッセージ受信装置に順次送信するメッセージ情報通知生成手段を備え、前記メッセージ受信装置は、当該メッセージ受信装置を識別するための前記個別識別子を予め記憶する記憶手段と、この記憶手段に記憶されている個別識別子を、放送事業者側に通知するための情報として表示する個別識別子表示手段と、を備え、前記個別メッセージ受信手段に、個別識別子をメッセージの宛先とし、放送事業者側において個別識別子に対応して生成した指定識別子をメッセージの内容とする個別メッセージである指定識別子通知を受信した際に、指定識別子を記憶手段に書き込み記憶する指定識別子解析手段と、前記放送受信手段を介して受信した個別メッセージの宛先が、記憶手段に記憶されている指定識別子と一致し、内容が、前記メッセージ受信装置のグループを指定するメッセージ制御情報であるメッセージ制御情報通知を当該メッセージ受信装置宛の個別メッセージとして受信した際に、前記メッセージ制御情報を前記記憶手段に書き込み記憶させるメッセージ制御情報通知解析手段と、を備え、前記共通メッセージ受信手段に、前記メッセージ送信装置から、前記共通メッセージとして、前記メッセージ制御情報と、前記個別識別子または前記指定識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子または前記指定識別子における前記一部の領域を特定するマスク情報とを宛先とし、前記メッセージ情報を内容としたメッセージ情報通知が送信されたときに、前記指定識別子が前記記憶手段に記憶されている場合、当該共通メッセージの宛先である前記メッセージ制御情報が、前記記憶手段に記憶されている前記メッセージ制御情報と一致し、かつ、前記記憶手段に記憶されている前記指定識別子の前記マスク情報によって特定される一部の領域における値が、前記部分識別子と一致する場合にのみ、当該共通メッセージに付加されているメッセージ情報を当該メッセージ受信装置宛のメッセージとして受信し、前記指定識別子が前記記憶手段に記憶されていない場合、当該共通メッセージの宛先が、前記メッセージ制御情報と一致し、かつ、前記個別識別子の前記マスク情報に基づいて特定される一部の領域における値が、前記部分識別子と一致する場合にのみ、当該共通メッセージに付加されているメッセージ情報を当該メッセージ受信装置宛のメッセージとして受信するメッセージ情報通知解析手段を備えることとしてもよい。
【手続補正７４】
【補正対象書類名】明細書
【補正対象項目名】０１０５
【補正方法】変更
【補正の内容】
【０１０５】
そして、メッセージ受信装置は、共通メッセージ受信手段のメッセージ情報通知解析手段によって、メッセージ送信装置から、共通メッセージとして、メッセージ制御情報と、個別識別子または指定識別子の一部を示す識別子であって、メッセージ制御情報によってグループ化されたメッセージ受信装置のうち、メッセージ情報を処理する対象となるメッセージ受信装置をサブグループ化する部分識別子と、個別識別子または指定識別子における一部の領域を特定するマスク情報とを宛先とし、メッセージ情報を内容としたメッセージ情報通知が送信されたときに、指定識別子が記憶手段に記憶されている場合、当該共通メッセージの宛先であるメッセージ制御情報が、記憶手段に記憶されているメッセージ制御情報と一致し、かつ、記憶手段に記憶されている指定識別子のマスク情報によって特定される一部の領域における値が、部分識別子と一致する場合にのみ、当該共通メッセージに付加されているメッセージ情報を当該メッセージ受信装置宛のメッセージとして受信し、指定識別子が記憶手段に記憶されていない場合、当該共通メッセージの宛先が、メッセージ制御情報と一致し、かつ、個別識別子のマスク情報に基づいて特定される一部の領域における値が、部分識別子と一致する場合にのみ、当該共通メッセージに付加されているメッセージ情報を当該メッセージ受信装置宛のメッセージとして受信する。これによって、メッセージ受信装置は、共通メッセージで、同一グループであって、さらに同一サブグループ宛のメッセージを受信することが可能になる。
すなわち、かかる構成によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
【手続補正７５】
【補正対象書類名】明細書
【補正対象項目名】０１０６
【補正方法】変更
【補正の内容】
【０１０６】
また、メッセージ配信システムは、メッセージ送信装置が、複数のメッセージから１つのメッセージを限定して受信するための前記メッセージ受信装置に予め記憶されている識別子である限定受信方式識別と、前記共通メッセージおよび前記個別メッセージを送信するパケットの識別子であるパケット識別子とを外部から複数入力し、前記限定受信方式識別ごとに、当該限定受信方式識別を含んでメッセージ送信を行っている旨を示すサービス記述子と、前記限定受信方式識別と前記パケット識別子とを対応付けた限定受信方式記述子とを複数含んだメッセージ識別テーブルを生成するメッセージ識別テーブル生成手段をさらに備えるとともに、前記共通メッセージ生成手段および前記個別メッセージ生成手段をそれぞれ複数備え、前記放送送信手段が、前記メッセージ識別テーブルを放送データとして送信するとともに、複数の前記共通メッセージ生成手段および前記個別メッセージ生成手段ごとに異なる前記パケット識別子を付加して、生成したメッセージをパケットデータとして送信し、メッセージ受信装置が、複数のメッセージから１つのメッセージを限定して受信するための識別子である限定受信方式識別を予め記憶する限定受信方式識別記憶手段と、限定受信方式識別を含んでメッセージ送信を行っている旨を示すサービス記述子と、当該限定受信方式識別とパケット識別子とを対応付けた限定受信方式記述子とを複数含んだメッセージ識別テーブルを、前記放送受信手段を介して受信するメッセージ識別テーブル受信手段と、を備え、このメッセージ識別テーブル受信手段が、前記限定受信方式識別記憶手段に記憶されている限定受信方式識別と同じ識別子を、前記複数のサービス記述子において探索し、同一の限定受信方式識別が存在する場合に、メッセージ送信が行われていると判定するサービス記述子解析手段と、このサービス記述子解析手段でメッセージ送信が行われていると判定した際に、当該限定受信方式識別と同じ識別子を、前記複数の限定受信方式記述子において探索し、同一の限定受信方式識別に対応付けられている前記パケット識別子を抽出する限定受信方式記述子解析手段と、を備え、前記放送受信手段が、前記放送データから、前記限定受信方式記述子解析手段が抽出したパケット識別子を有するパケットデータを、当該メッセージ受信装置へのメッセージとして抽出することとしてもよい。
【手続補正７６】
【補正対象書類名】明細書
【補正対象項目名】０１０８
【補正方法】変更
【補正の内容】
【０１０８】
一方、メッセージ受信装置は、メッセージ識別テーブル受信手段のサービス記述子解析手段によって、限定受信方式識別記憶手段に記憶されている限定受信方式識別と同じ識別子を、複数のサービス記述子において探索し、同一の限定受信方式識別が存在する場合に、メッセージ送信が行われていると判定する。
そして、メッセージ受信装置は、メッセージ識別テーブル受信手段の限定受信方式記述子解析手段によって、メッセージ送信が行われていると判定した際に、当該限定受信方式識別と同じ識別子を、複数の限定受信方式記述子において探索し、同一の限定受信方式識別に対応付けられているパケット識別子を抽出する。
そして、メッセージ受信装置は、放送受信手段によって、放送データから、限定受信方式記述子解析手段が抽出したパケット識別子を有するパケットデータを、当該メッセージ受信装置へのメッセージとして抽出する。
すなわち、かかる構成によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
加えて、メッセージ受信装置においてメッセージの表示方式が異なる場合であっても、複数種類のメッセージから、自身の表示方式に適合したメッセージを取得することができ、複数メッセージの同時配信が可能になる。
【手続補正７７】
【補正対象書類名】明細書
【補正対象項目名】０１０９
【補正方法】削除
【補正の内容】
【手続補正７８】
【補正対象書類名】明細書
【補正対象項目名】０１１０
【補正方法】削除
【補正の内容】
【手続補正７９】
【補正対象書類名】明細書
【補正対象項目名】０１１１
【補正方法】削除
【補正の内容】
【手続補正８０】
【補正対象書類名】明細書
【補正対象項目名】０１１２
【補正方法】削除
【補正の内容】
【手続補正８１】
【補正対象書類名】明細書
【補正対象項目名】０１１３
【補正方法】削除
【補正の内容】
【手続補正８２】
【補正対象書類名】明細書
【補正対象項目名】０１１４
【補正方法】削除
【補正の内容】
【手続補正８３】
【補正対象書類名】明細書
【補正対象項目名】０１１５
【補正方法】削除
【補正の内容】
【手続補正８４】
【補正対象書類名】明細書
【補正対象項目名】０１１６
【補正方法】削除
【補正の内容】
【手続補正８５】
【補正対象書類名】明細書
【補正対象項目名】０１１７
【補正方法】削除
【補正の内容】
【手続補正８６】
【補正対象書類名】明細書
【補正対象項目名】０１１８
【補正方法】削除
【補正の内容】
【手続補正８７】
【補正対象書類名】明細書
【補正対象項目名】０１１９
【補正方法】削除
【補正の内容】
【手続補正８８】
【補正対象書類名】明細書
【補正対象項目名】０１２０
【補正方法】削除
【補正の内容】
【手続補正８９】
【補正対象書類名】明細書
【補正対象項目名】０１２１
【補正方法】削除
【補正の内容】
【手続補正９０】
【補正対象書類名】明細書
【補正対象項目名】０１２２
【補正方法】削除
【補正の内容】
【手続補正９１】
【補正対象書類名】明細書
【補正対象項目名】０１２３
【補正方法】削除
【補正の内容】
【手続補正９２】
【補正対象書類名】明細書
【補正対象項目名】０１２４
【補正方法】削除
【補正の内容】
【手続補正９３】
【補正対象書類名】明細書
【補正対象項目名】０１２５
【補正方法】削除
【補正の内容】
【手続補正９４】
【補正対象書類名】明細書
【補正対象項目名】０１２６
【補正方法】削除
【補正の内容】
【手続補正９５】
【補正対象書類名】明細書
【補正対象項目名】０１２７
【補正方法】削除
【補正の内容】
【手続補正９６】
【補正対象書類名】明細書
【補正対象項目名】０１２８
【補正方法】削除
【補正の内容】
【手続補正９７】
【補正対象書類名】明細書
【補正対象項目名】０１２９
【補正方法】削除
【補正の内容】
【手続補正９８】
【補正対象書類名】明細書
【補正対象項目名】０１３０
【補正方法】削除
【補正の内容】
【手続補正９９】
【補正対象書類名】明細書
【補正対象項目名】０１３１
【補正方法】削除
【補正の内容】
【手続補正１００】
【補正対象書類名】明細書
【補正対象項目名】０１３２
【補正方法】削除
【補正の内容】
【手続補正１０１】
【補正対象書類名】明細書
【補正対象項目名】０１３３
【補正方法】削除
【補正の内容】
【手続補正１０２】
【補正対象書類名】明細書
【補正対象項目名】０１３４
【補正方法】削除
【補正の内容】
【手続補正１０３】
【補正対象書類名】明細書
【補正対象項目名】０１３５
【補正方法】削除
【補正の内容】
【手続補正１０４】
【補正対象書類名】明細書
【補正対象項目名】０１３６
【補正方法】削除
【補正の内容】
【手続補正１０５】
【補正対象書類名】明細書
【補正対象項目名】０１３７
【補正方法】変更
【補正の内容】
【０１３７】
また、メッセージ送信装置は、メッセージ受信装置に対する共通のメッセージである共通メッセージを生成する共通メッセージ生成手段と、各メッセージ受信装置に対して個別に送信する個別メッセージを生成する個別メッセージ生成手段とを備え、放送送信手段を介して、前記共通メッセージおよび前記個別メッセージを放送データとして送信するメッセージ送信装置において、前記メッセージ受信装置を識別する識別子を記憶するための識別子記憶手段と、前記メッセージ受信装置で生成され、予め放送事業者側に通知された前記メッセージ受信装置を識別するための個別識別子と、前記メッセージ受信装置の使用者の個人情報とを外部から入力し、当該個別識別子が前記識別子記憶手段に記憶されているか否かを判定する個別識別子重複判定手段と、この個別識別子重複判定手段において、当該個別識別子が記憶されていないと判定された場合に、当該個別識別子を前記個人情報と対応付けて前記識別子記憶手段に書き込み記憶させる個別識別子登録手段と、前記メッセージ受信装置を放送事業者側で個別に識別する新たな識別子である指定識別子を、前記個別識別子と対応付けて前記識別子記憶手段に書き込み記憶させる指定識別子登録手段と、を備え、前記個別メッセージ生成手段は、前記個別識別子をメッセージの宛先とし、当該個別識別子に対応する指定識別子をメッセージの内容とする指定識別子通知を前記個別メッセージとして生成して送信する指定識別子通知生成手段と、前記指定識別子通知を前記個別メッセージとして前記メッセージ受信装置に送信した後、外部から指定された個人情報に対応する前記指定識別子を宛先として、前記共通メッセージとして送信される予め定めたメッセージ情報を処理する対象となるメッセージ受信装置のグループを指定するメッセージ制御情報を付加したメッセージ制御情報通知を、前記個別メッセージとして生成するメッセージ制御情報通知生成手段とを備え、前記共通メッセージ生成手段は、前記メッセージ制御情報と、前記個別識別子または前記指定識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子または前記指定識別子における前記一部の領域を特定するマスク情報とを宛先とし、前記メッセージ情報を内容とした共通メッセージであるメッセージ情報通知を生成するメッセージ情報通知生成手段を備え、前記メッセージ情報通知生成手段は、前記メッセージ情報を処理する対象となるメッセージ受信装置をサブグループ単位で切り替えるために、前記部分識別子を所定時間ごとに更新し、当該更新後の前記部分識別子を含んだ前記メッセージ情報通知を順次生成することとしてもよい。
【手続補正１０６】
【補正対象書類名】明細書
【補正対象項目名】０１４３
【補正方法】変更
【補正の内容】
【０１４３】
また、メッセージ送信装置は、共通メッセージ生成手段のメッセージ情報通知生成手段によって、メッセージ情報を処理する（メッセージを表示させる）対象となるメッセージ受信装置をサブグループ単位で切り替えるために、部分識別子を所定時間ごとに更新し、当該更新後の部分識別子を含んだメッセージ情報通知を順次生成する。
これによって、メッセージ送信装置側で、メッセージ情報を処理する（メッセージを表示させる）メッセージ受信装置の数を管理することができる。
すなわち、かかる構成によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
【手続補正１０７】
【補正対象書類名】明細書
【補正対象項目名】０１４４
【補正方法】変更
【補正の内容】
【０１４４】
また、メッセージ送信装置は、複数のメッセージから１つのメッセージを限定して受信するための前記メッセージ受信装置に予め記憶されている識別子である限定受信方式識別と、前記共通メッセージおよび前記個別メッセージを送信するパケットの識別子であるパケット識別子とを外部から複数入力し、前記限定受信方式識別ごとに、当該限定受信方式識別を含んでメッセージ送信を行っている旨を示すサービス記述子と、前記限定受信方式識別と前記パケット識別子とを対応付けた限定受信方式記述子とを複数含んだメッセージ識別テーブルを生成するメッセージ識別テーブル生成手段をさらに備えるとともに、前記共通メッセージ生成手段および前記個別メッセージ生成手段をそれぞれ複数備え、前記放送送信手段が、前記メッセージ識別テーブルを放送データとして送信するとともに、複数の前記共通メッセージ生成手段および前記個別メッセージ生成手段ごとに異なる前記パケット識別子を付加して、生成したメッセージをパケットデータとして送信することとしてもよい。
【手続補正１０８】
【補正対象書類名】明細書
【補正対象項目名】０１４６
【補正方法】変更
【補正の内容】
【０１４６】
そして、メッセージ送信装置は、放送送信手段によって、メッセージ識別テーブルを放送データとして送信するとともに、複数の共通メッセージ生成手段および個別メッセージ生成手段ごとに異なるパケット識別子を付加して、生成したメッセージをパケットデータとして送信する。
これによって、メッセージ受信装置側では、メッセージサービスが実施されていることを認識することができるとともに、同時に複数のメッセージが配信された場合であっても、自身へのメッセージを認識することができる。
すなわち、かかる構成によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
加えて、メッセージ受信装置においてメッセージの表示方式が異なる場合であっても、複数種類のメッセージから、自身の表示方式に適合したメッセージを取得することができ、複数メッセージの同時配信が可能になる。
【手続補正１０９】
【補正対象書類名】明細書
【補正対象項目名】０１４７
【補正方法】変更
【補正の内容】
【０１４７】
また、メッセージ受信装置は、メッセージ送信装置から放送データとして送信されるメッセージ受信装置に対して共通のメッセージである共通メッセージを、放送受信手段を介して受信する共通メッセージ受信手段と、各メッセージ受信装置に対して個別に送信される個別メッセージを、前記放送受信手段を介して受信する個別メッセージ受信手段とを備えたメッセージ受信装置において、当該メッセージ受信装置の内部情報に基づいて、当該メッセージ受信装置を個別に識別するための個別識別子を生成する個別識別子生成手段と、この個別識別子生成手段で生成された個別識別子を、放送事業者側に通知するための情報として表示する個別識別子表示手段と、を備え、前記個別メッセージ受信手段は、個別メッセージとして、前記個別識別子をメッセージの宛先とし、放送事業者側において前記個別識別子に対して生成した指定識別子をメッセージの内容とする指定識別子通知を受信した際に、前記指定識別子を記憶手段に書き込み記憶させる指定識別子解析手段と、前記放送受信手段を介して受信した個別メッセージの宛先が、記憶手段に記憶されている指定識別子と一致し、内容が、前記メッセージ受信装置のグループを指定するメッセージ制御情報であるメッセージ制御情報通知を、当該メッセージ受信装置宛の個別メッセージとして受信した際に、前記メッセージ制御情報を前記記憶手段に書き込み記憶させるメッセージ制御情報通知解析手段と、を備え、前記共通メッセージ受信手段は、前記メッセージ送信装置から、前記共通メッセージとして、前記メッセージ制御情報と、前記個別識別子または前記指定識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子または前記指定識別子における前記一部の領域を特定するマスク情報とを宛先とし、前記メッセージ情報を内容としたメッセージ情報通知が送信されたときに、前記指定識別子が前記記憶手段に記憶されている場合、当該共通メッセージの宛先である前記メッセージ制御情報が、前記記憶手段に記憶されている前記メッセージ制御情報と一致し、かつ、前記記憶手段に記憶されている前記指定識別子の前記マスク情報によって特定される一部の領域における値が、前記部分識別子と一致する場合にのみ、当該共通メッセージに付加されているメッセージ情報を当該メッセージ受信装置宛のメッセージとして受信し、前記指定識別子が前記記憶手段に記憶されていない場合、当該共通メッセージの宛先が、前記メッセージ制御情報と一致し、かつ、前記個別識別子の前記マスク情報に基づいて特定される一部の領域における値が、前記部分識別子と一致する場合にのみ、当該共通メッセージに付加されているメッセージ情報を当該メッセージ受信装置宛のメッセージとして受信するメッセージ情報通知解析手段を備えることとしてもよい。
【手続補正１１０】
【補正対象書類名】明細書
【補正対象項目名】０１５１
【補正方法】変更
【補正の内容】
【０１５１】
そして、メッセージ受信装置は、共通メッセージ受信手段のメッセージ情報通知解析手段によって、メッセージ送信装置から、共通メッセージとして、メッセージ制御情報と、個別識別子または指定識別子の一部を示す識別子であって、メッセージ制御情報によってグループ化されたメッセージ受信装置のうち、メッセージ情報を処理する対象となるメッセージ受信装置をサブグループ化する部分識別子と、個別識別子または指定識別子における一部の領域を特定するマスク情報とを宛先とし、メッセージ情報を内容としたメッセージ情報通知が送信されたときに、指定識別子が記憶手段に記憶されている場合、当該共通メッセージの宛先であるメッセージ制御情報が、記憶手段に記憶されているメッセージ制御情報と一致し、かつ、記憶手段に記憶されている指定識別子のマスク情報によって特定される一部の領域における値が、部分識別子と一致する場合にのみ、当該共通メッセージに付加されているメッセージ情報を当該メッセージ受信装置宛のメッセージとして受信し、指定識別子が記憶手段に記憶されていない場合、当該共通メッセージの宛先が、メッセージ制御情報と一致し、かつ、個別識別子のマスク情報に基づいて特定される一部の領域における値が、部分識別子と一致する場合にのみ、当該共通メッセージに付加されているメッセージ情報を当該メッセージ受信装置宛のメッセージとして受信する。これによって、メッセージ受信装置は、共通メッセージで、同一グループであって、さらに同一サブグループ宛のメッセージを受信することが可能になる。
すなわち、かかる構成によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
【手続補正１１１】
【補正対象書類名】明細書
【補正対象項目名】０１５２
【補正方法】変更
【補正の内容】
【０１５２】
また、メッセージ受信装置は、複数のメッセージから１つのメッセージを限定して受信するための識別子である限定受信方式識別を予め記憶する限定受信方式識別記憶手段と、限定受信方式識別を含んでメッセージ送信を行っている旨を示すサービス記述子と、当該限定受信方式識別とパケット識別子とを対応付けた限定受信方式記述子とを複数含んだメッセージ識別テーブルを、前記放送受信手段を介して受信するメッセージ識別テーブル受信手段と、を備え、このメッセージ識別テーブル受信手段が、前記限定受信方式識別記憶手段に記憶されている限定受信方式識別と同じ識別子を、前記複数のサービス記述子において探索し、同一の限定受信方式識別が存在する場合に、メッセージ送信が行われていると判定するサービス記述子解析手段と、このサービス記述子解析手段でメッセージ送信が行われていると判定した際に、当該限定受信方式識別と同じ識別子を、前記複数の限定受信方式記述子において探索し、同一の限定受信方式識別に対応付けられている前記パケット識別子を抽出する限定受信方式記述子解析手段と、を備え、前記放送受信手段が、前記放送データから、前記限定受信方式記述子解析手段が抽出したパケット識別子を有するパケットデータを、当該メッセージ受信装置へのメッセージとして抽出することとしてもよい。
【手続補正１１２】
【補正対象書類名】明細書
【補正対象項目名】０１５３
【補正方法】変更
【補正の内容】
【０１５３】
かかる構成によれば、メッセージ受信装置は、限定受信方式識別記憶手段に複数のメッセージから１つのメッセージを限定して受信するための識別子である限定受信方式識別を予め記憶しておく。
そして、メッセージ受信装置は、メッセージ識別テーブル受信手段のサービス記述子解析手段によって、限定受信方式識別記憶手段に記憶されている限定受信方式識別と同じ識別子を、複数のサービス記述子において探索し、同一の限定受信方式識別が存在する場合に、メッセージ送信が行われていると判定する。
そして、メッセージ受信装置は、メッセージ識別テーブル受信手段の限定受信方式記述子解析手段によって、メッセージ送信が行われていると判定した際に、当該限定受信方式識別と同じ識別子を、複数の限定受信方式記述子において探索し、同一の限定受信方式識別に対応付けられているパケット識別子を抽出する。
そして、メッセージ受信装置は、放送受信手段によって、放送データから、限定受信方式記述子解析手段が抽出したパケット識別子を有するパケットデータを、当該メッセージ受信装置へのメッセージとして抽出する。
すなわち、かかる構成によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
加えて、メッセージ受信装置においてメッセージの表示方式が異なる場合であっても、複数種類のメッセージから、自身の表示方式に適合したメッセージを取得することができ、複数メッセージの同時配信が可能になる。
【手続補正１１３】
【補正対象書類名】明細書
【補正対象項目名】０１５４
【補正方法】変更
【補正の内容】
【０１５４】
また、メッセージ配信システムは、共通メッセージを生成する共通メッセージ生成手段と、個別メッセージを生成する個別メッセージ生成手段とを備え、放送送信手段を介して、前記共通メッセージおよび前記個別メッセージを放送データとして送信するメッセージ送信装置と、放送受信手段を介して、前記共通メッセージを受信する共通メッセージ受信手段と、前記放送受信手段を介して、前記個別メッセージを受信する個別メッセージ受信手段とを備えたメッセージ受信装置と、を備え、メッセージの配信を行うメッセージ配信システムであって、前記メッセージ送信装置は、前記個別メッセージ生成手段に、前記個別メッセージ生成手段に、前記メッセージ受信装置で生成され、予め放送事業者側に通知された前記メッセージ受信装置を識別するための個別識別子をメッセージの宛先とし、当該個別識別子に対応し、前記メッセージ受信装置を放送事業者側で個別に識別する新たな識別子である指定識別子をメッセージの内容とする指定識別子通知をメッセージの内容とする指定識別子通知を、前記個別メッセージとして生成して送信する指定識別子通知解析手段と、前記共通メッセージとして送信される予め定めたメッセージ情報を処理する対象となるメッセージ受信装置のグループを指定するメッセージ制御情報を付加したメッセージ制御情報通知を、前記指定識別子を宛先とした前記個別メッセージとして生成し、前記メッセージ受信装置に送信するメッセージ制御情報通知生成手段とを備え、前記共通メッセージ生成手段に、前記メッセージ制御情報と、前記個別識別子または前記指定識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子または前記指定識別子における前記一部の領域を特定するマスク情報とを宛先とし、前記メッセージ情報を内容とした共通メッセージであるメッセージ情報通知を、前記部分識別子を更新しながら生成し、前記メッセージ受信装置に順次送信するメッセージ情報通知生成手段を備え、前記メッセージ受信装置は、当該メッセージ受信装置の内部情報に基づいて、当該メッセージ受信装置を個別に識別するための前記個別識別子を生成する個別識別子生成手段と、この個別識別子生成手段で生成された個別識別子を、放送事業者側に通知するための情報として表示する個別識別子表示手段と、を備え、前記個別メッセージ受信手段は、個別メッセージとして、前記個別識別子をメッセージの宛先とし、放送事業者側において前記個別識別子に対して生成した指定識別子をメッセージの内容とする指定識別子通知を受信した際に、前記指定識別子を記憶手段に書き込み記憶させる指定識別子解析手段と、前記放送受信手段を介して受信した個別メッセージの宛先が、記憶手段に記憶されている指定識別子と一致し、内容が、前記メッセージ受信装置のグループを指定するメッセージ制御情報であるメッセージ制御情報通知を、当該メッセージ受信装置宛の個別メッセージとして受信した際に、前記メッセージ制御情報を前記記憶手段に書き込み記憶させるメッセージ制御情報通知解析手段とを備え、前記共通メッセージ受信手段は、前記メッセージ送信装置から、前記共通メッセージとして、前記メッセージ制御情報と、前記個別識別子または前記指定識別子の一部を示す識別子であって、前記メッセージ制御情報によってグループ化されたメッセージ受信装置のうち、前記メッセージ情報を処理する対象となるメッセージ受信装置をサブグループ化する部分識別子と、前記個別識別子または前記指定識別子における前記一部の領域を特定するマスク情報とを宛先とし、前記メッセージ情報を内容としたメッセージ情報通知が送信されたときに、前記指定識別子が前記記憶手段に記憶されている場合、当該共通メッセージの宛先である前記メッセージ制御情報が、前記記憶手段に記憶されている前記メッセージ制御情報と一致し、かつ、前記記憶手段に記憶されている前記指定識別子の前記マスク情報によって特定される一部の領域における値が、前記部分識別子と一致する場合にのみ、当該共通メッセージに付加されているメッセージ情報を当該メッセージ受信装置宛のメッセージとして受信し、前記指定識別子が前記記憶手段に記憶されていない場合、当該共通メッセージの宛先が、前記メッセージ制御情報と一致し、かつ、前記個別識別子の前記マスク情報に基づいて特定される一部の領域における値が、前記部分識別子と一致する場合にのみ、当該共通メッセージに付加されているメッセージ情報を当該メッセージ受信装置宛のメッセージとして受信するメッセージ情報通知解析手段を備えることとしてもよい。
【手続補正１１４】
【補正対象書類名】明細書
【補正対象項目名】０１６０
【補正方法】変更
【補正の内容】
【０１６０】
そして、メッセージ受信装置は、共通メッセージ受信手段のメッセージ情報通知解析手段によって、メッセージ送信装置から、共通メッセージとして、メッセージ制御情報と、個別識別子または指定識別子の一部を示す識別子であって、メッセージ制御情報によってグループ化されたメッセージ受信装置のうち、メッセージ情報を処理する対象となるメッセージ受信装置をサブグループ化する部分識別子と、個別識別子または指定識別子における一部の領域を特定するマスク情報とを宛先とし、メッセージ情報を内容としたメッセージ情報通知が送信されたときに、指定識別子が記憶手段に記憶されている場合、当該共通メッセージの宛先であるメッセージ制御情報が、記憶手段に記憶されているメッセージ制御情報と一致し、かつ、記憶手段に記憶されている指定識別子のマスク情報によって特定される一部の領域における値が、部分識別子と一致する場合にのみ、当該共通メッセージに付加されているメッセージ情報を当該メッセージ受信装置宛のメッセージとして受信し、指定識別子が記憶手段に記憶されていない場合、当該共通メッセージの宛先が、メッセージ制御情報と一致し、かつ、個別識別子のマスク情報に基づいて特定される一部の領域における値が、部分識別子と一致する場合にのみ、当該共通メッセージに付加されているメッセージ情報を当該メッセージ受信装置宛のメッセージとして受信する。これによって、メッセージ受信装置は、共通メッセージで、同一グループであって、さらに同一サブグループ宛のメッセージを受信することが可能になる。
すなわち、かかる構成によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
【手続補正１１５】
【補正対象書類名】明細書
【補正対象項目名】０１６１
【補正方法】変更
【補正の内容】
【０１６１】
また、メッセージ配信システムは、メッセージ送信装置が、複数のメッセージから１つのメッセージを限定して受信するための前記メッセージ受信装置に予め記憶されている識別子である限定受信方式識別と、前記共通メッセージおよび前記個別メッセージを送信するパケットの識別子であるパケット識別子とを外部から複数入力し、前記限定受信方式識別ごとに、当該限定受信方式識別を含んでメッセージ送信を行っている旨を示すサービス記述子と、前記限定受信方式識別と前記パケット識別子とを対応付けた限定受信方式記述子とを複数含んだメッセージ識別テーブルを生成するメッセージ識別テーブル生成手段をさらに備えるとともに、前記共通メッセージ生成手段および前記個別メッセージ生成手段をそれぞれ複数備え、前記放送送信手段が、前記メッセージ識別テーブルを放送データとして送信するとともに、複数の前記共通メッセージ生成手段および前記個別メッセージ生成手段ごとに異なる前記パケット識別子を付加して、生成したメッセージをパケットデータとして送信し、メッセージ受信装置が、複数のメッセージから１つのメッセージを限定して受信するための識別子である限定受信方式識別を予め記憶する限定受信方式識別記憶手段と、限定受信方式識別を含んでメッセージ送信を行っている旨を示すサービス記述子と、当該限定受信方式識別とパケット識別子とを対応付けた限定受信方式記述子とを複数含んだメッセージ識別テーブルを、前記放送受信手段を介して受信するメッセージ識別テーブル受信手段と、を備え、このメッセージ識別テーブル受信手段が、前記限定受信方式識別記憶手段に記憶されている限定受信方式識別と同じ識別子を、前記複数のサービス記述子において探索し、同一の限定受信方式識別が存在する場合に、メッセージ送信が行われていると判定するサービス記述子解析手段と、このサービス記述子解析手段でメッセージ送信が行われていると判定した際に、当該限定受信方式識別と同じ識別子を、前記複数の限定受信方式記述子において探索し、同一の限定受信方式識別に対応付けられている前記パケット識別子を抽出する限定受信方式記述子解析手段と、を備え、前記放送受信手段が、前記放送データから、前記限定受信方式記述子解析手段が抽出したパケット識別子を有するパケットデータを、当該メッセージ受信装置へのメッセージとして抽出することとしてもよい。
【手続補正１１６】
【補正対象書類名】明細書
【補正対象項目名】０１６３
【補正方法】変更
【補正の内容】
【０１６３】
一方、メッセージ受信装置は、メッセージ識別テーブル受信手段のサービス記述子解析手段によって、限定受信方式識別記憶手段に記憶されている限定受信方式識別と同じ識別子を、複数のサービス記述子において探索し、同一の限定受信方式識別が存在する場合に、メッセージ送信が行われていると判定する。
そして、メッセージ受信装置は、メッセージ識別テーブル受信手段の限定受信方式記述子解析手段によって、メッセージ送信が行われていると判定した際に、当該限定受信方式識別と同じ識別子を、複数の限定受信方式記述子において探索し、同一の限定受信方式識別に対応付けられているパケット識別子を抽出する。
そして、メッセージ受信装置は、放送受信手段によって、放送データから、限定受信方式記述子解析手段が抽出したパケット識別子を有するパケットデータを、当該メッセージ受信装置へのメッセージとして抽出する。
すなわち、かかる構成によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
また、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
さらに、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。また、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
また、メッセージ受信装置においてメッセージの表示方式が異なる場合であっても、複数種類のメッセージから、自身の表示方式に適合したメッセージを取得することができ、複数メッセージの同時配信が可能になる。
【手続補正１１７】
【補正対象書類名】明細書
【補正対象項目名】０１６４
【補正方法】削除
【補正の内容】
【手続補正１１８】
【補正対象書類名】明細書
【補正対象項目名】０１６５
【補正方法】削除
【補正の内容】
【手続補正１１９】
【補正対象書類名】明細書
【補正対象項目名】０１６６
【補正方法】削除
【補正の内容】
【手続補正１２０】
【補正対象書類名】明細書
【補正対象項目名】０１６７
【補正方法】削除
【補正の内容】
【手続補正１２１】
【補正対象書類名】明細書
【補正対象項目名】０１６８
【補正方法】削除
【補正の内容】
【手続補正１２２】
【補正対象書類名】明細書
【補正対象項目名】０１６９
【補正方法】削除
【補正の内容】
【手続補正１２３】
【補正対象書類名】明細書
【補正対象項目名】０１７０
【補正方法】削除
【補正の内容】
【手続補正１２４】
【補正対象書類名】明細書
【補正対象項目名】０１７２
【補正方法】削除
【補正の内容】
【手続補正１２５】
【補正対象書類名】明細書
【補正対象項目名】０１７３
【補正方法】削除
【補正の内容】
【手続補正１２６】
【補正対象書類名】明細書
【補正対象項目名】０１７４
【補正方法】削除
【補正の内容】
【手続補正１２７】
【補正対象書類名】明細書
【補正対象項目名】０１７５
【補正方法】削除
【補正の内容】
【手続補正１２８】
【補正対象書類名】明細書
【補正対象項目名】０１７６
【補正方法】削除
【補正の内容】
【手続補正１２９】
【補正対象書類名】明細書
【補正対象項目名】０１７７
【補正方法】削除
【補正の内容】
【手続補正１３０】
【補正対象書類名】明細書
【補正対象項目名】０１７８
【補正方法】削除
【補正の内容】
【手続補正１３１】
【補正対象書類名】明細書
【補正対象項目名】０１７９
【補正方法】削除
【補正の内容】
【手続補正１３２】
【補正対象書類名】明細書
【補正対象項目名】０１８０
【補正方法】削除
【補正の内容】
【手続補正１３３】
【補正対象書類名】明細書
【補正対象項目名】０１８１
【補正方法】削除
【補正の内容】
【手続補正１３４】
【補正対象書類名】明細書
【補正対象項目名】０１８２
【補正方法】削除
【補正の内容】
【手続補正１３５】
【補正対象書類名】明細書
【補正対象項目名】０１８３
【補正方法】削除
【補正の内容】
【手続補正１３６】
【補正対象書類名】明細書
【補正対象項目名】０１８４
【補正方法】削除
【補正の内容】
【手続補正１３７】
【補正対象書類名】明細書
【補正対象項目名】０１８５
【補正方法】削除
【補正の内容】
【手続補正１３８】
【補正対象書類名】明細書
【補正対象項目名】０１８６
【補正方法】削除
【補正の内容】
【手続補正１３９】
【補正対象書類名】明細書
【補正対象項目名】０１８７
【補正方法】削除
【補正の内容】
【手続補正１４０】
【補正対象書類名】明細書
【補正対象項目名】０１８８
【補正方法】削除
【補正の内容】
【手続補正１４１】
【補正対象書類名】明細書
【補正対象項目名】０１８９
【補正方法】削除
【補正の内容】
【手続補正１４２】
【補正対象書類名】明細書
【補正対象項目名】０１９０
【補正方法】削除
【補正の内容】
【手続補正１４３】
【補正対象書類名】明細書
【補正対象項目名】０１９１
【補正方法】削除
【補正の内容】
【手続補正１４４】
【補正対象書類名】明細書
【補正対象項目名】０１９２
【補正方法】変更
【補正の内容】
【０１９２】
本発明は、以下に示す優れた効果を奏するものである。
請求項１〜４に記載の発明によれば、メッセージ受信装置から通知される個別識別子に対して、メッセージ送信装置が、個別メッセージを送信することができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置を管理すればよいため、識別子を管理するコストを軽減させることができる。
【手続補正１４５】
【補正対象書類名】明細書
【補正対象項目名】０１９３
【補正方法】変更
【補正の内容】
【０１９３】
また、請求項５〜８に記載の発明によれば、メッセージ受信装置に予め記憶されている個別識別子に対して、メッセージ送信装置が、放送事業者側で管理する指定識別子を割り当てることができる。これによって、メッセージ受信装置では、従来のような放送事業者側が配布するＩＣカードを用いることがなく、ＩＣカードのコストを削減することができる。さらに、放送事業者側では、予めすべてのメッセージ受信装置の識別子を管理しておく必要がなく、個別識別子を通知してきたメッセージ受信装置に対して指定識別子を順次割り振ればよいため、識別子を管理するコストを軽減させることができる。
【手続補正１４６】
【補正対象書類名】明細書
【補正対象項目名】０１９４
【補正方法】変更
【補正の内容】
【０１９４】
また、請求項１〜８に記載の発明によれば、メッセージ受信装置をメッセージ制御情報によってグループ化することができる。さらに、そのグループ化したそれぞれのメッセージ受信装置に対し、共通メッセージでメッセージ制御情報を宛先としてメッセージ情報を配信することができるため、個々のメッセージ受信装置に個別メッセージを送信する場合に比べて、効率よくメッセージを配信することができる。
【手続補正１４７】
【補正対象書類名】明細書
【補正対象項目名】０１９５
【補正方法】変更
【補正の内容】
【０１９５】
さらに、請求項１〜８に記載の発明によれば、メッセージ制御情報を用いて、放送番組を視聴可能とするグループを指定することができる。これによって、メッセージ受信装置を放送番組の視聴可能なグループと視聴不可のグループとに、グループ分けすることができ、それぞれのグループに対し、共通メッセージで異なるメッセージ情報を配信することが可能になる。またさらに、メッセージ制御情報を用いて視聴不可のグループにグループ分けされたメッセージ受信装置を、メッセージを表示させるサブグループとメッセージを表示させないサブグループとに、サブグループ化することができる。これによって、放送事業者側で、視聴制限を行うメッセージ受信装置の数を管理することができるので、放送事業者側への放送番組の視聴契約を希望する視聴者からの問い合わせが同時期に集中するのを回避することができる。
【手続補正１４８】
【補正対象書類名】明細書
【補正対象項目名】０１９６
【補正方法】変更
【補正の内容】
【０１９６】
請求項２，４，６，８に記載の発明によれば、メッセージ受信装置においてメッセージの表示方式が異なる場合であっても、複数種類のメッセージから、自身の表示方式に適合したメッセージを取得することができ、複数メッセージの同時配信が可能になる。